(57)【要約】  布地への付着性を向上させるためにマイクロエマルションに配合されて、布地手入れ効果をもたらす、選択された有機シリコーン類を含む布地洗濯系、組成物および方法。【特許請求の範囲】
【請求項１】
（ａ）有機シリコーン、
（ｂ）アニオン性界面活性剤を含む乳化剤、
（ｃ）他の洗濯補助剤物質、および
（ｄ）水を含む担体
を含む布地清浄および布地手入れ用液体洗剤組成物であって、
前記有機シリコーンが約１００ｎｍ未満の平均粒径を有する水溶性マイクロエマルションの形態であり、前記洗剤組成物が約１〜約２０００ｍＰａ．ｓの粘度を有し、前記有機シリコーンが約２〜約７のＨＬＢ値を有することを特徴とする、液体洗剤組成物。
【請求項２】
前記有機シリコーンが次式：
【化１】
2009511700.tif 000015
［式中、
各Ｒは、Ｃ１〜Ｃ８アルキルまたはアリール基であり、
Ｘは連結基であり、
Ｑは、−ＮＨ２、−ＮＨ−（ＣＨ２）２−ＮＨ２、−（Ｏ−ＣＨＲ２−ＣＨ２）−Ｚ、およびこれらの混合物から成る群から選択され（式中、Ｒ２はＨまたはＣ１〜Ｃ３アルキルであり、Ｚは−ＯＲ３、−ＯＣ（Ｏ）Ｒ３、−ＣＯ−Ｒ４−ＣＯ−ＯＨ、−ＳＯ３、−ＰＯ（ＯＨ）２、およびこれらの混合物から成る群から選択される（さらに式中、Ｒ３はＨ、Ｃ１〜Ｃ２６アルキルまたは置換アルキル、Ｃ６〜Ｃ２６アリールまたは置換アリール、もしくはＣ７〜Ｃ２６アルキルアリールまたは置換アルキルアリール基であり、Ｒ４は−ＣＨ２−または−ＣＨ２ＣＨ２−である。）。）、
ｍは４〜５０，０００であり、および
ｋは１〜２５，０００である。］を有する、請求項１に記載の組成物。
【請求項３】
前記有機シリコーンが次式：
【化２】
2009511700.tif 000016
（式中、ＲはＨまたはＣ１〜Ｃ６アルキルであり、ｍは４〜４０，０００であり、ｎは３〜３５，０００であり、およびｐとｑは独立に２〜３０から選択される整数である。）を有する、請求項１に記載の組成物。
【請求項４】
前記有機シリコーンが次式：
【化３】
2009511700.tif 000017
（式中、ＱはＮＨ２または−ＮＨＣＨ２ＣＨ２ＮＨ２であり、ＲはＨまたはＣ１〜Ｃ６アルキルであり、ｒは１〜１０００であり、ｍは４〜４０，０００であり、ｎは３〜３５，０００であり、およびｐとｑは独立して２〜３０から選択される整数である。）を有する、請求項１に記載の組成物。
【請求項５】
前記有機シリコーンが次式：
【化４】
2009511700.tif 000018
［式中、Ｚは、
ｉ．
【化５】
2009511700.tif 000019
（式中、Ｒ７はＣ１〜Ｃ２４アルキル基である。）、
ｉｉ．
【化６】
2009511700.tif 000020
（式中、Ｒ４はＣＨ２またはＣＨ２ＣＨ２である。）、
ｉｉｉ．−ＳＯ３、
ｉｖ．
【化７】
2009511700.tif 000021
ｖ．
【化８】
2009511700.tif 000022
（式中、Ｒ８はＣ１〜Ｃ２２アルキルであり、Ａはアニオンである。）、
ｖｉ．
【化９】
2009511700.tif 000023
（式中、Ｒ８はＣ１〜Ｃ２２アルキルであり、Ａはアニオンである。）から選択され、
ｍは４〜４０，０００であり、ｎは３〜３５，０００であり、およびｐとｑは独立して２〜３０から選択される整数である。］を有する、請求項１に記載の組成物。
【請求項６】
アニオン性界面活性剤が、Ｃ１１〜Ｃ１８アルキルベンゼンスルホン酸塩（ＬＡＳ）、Ｃ１０〜Ｃ２０分枝鎖及びランダムアルキル硫酸塩類（ＡＳ）、Ｃ１０〜Ｃ１８アルキルエトキシ硫酸塩類（ＡＥｘＳ）（式中、ｘは１〜３０である。）、中鎖分岐アルキル硫酸塩類、中鎖分岐アルキルアルコキシ硫酸塩類、１〜５個のエトキシ単位を含むＣ１０〜Ｃ１８アルキルアルコキシカルボン酸塩類、修飾アルキルベンゼンスルホン酸塩（ＭＬＡＳ）、Ｃ１２〜Ｃ２０メチルエステルスルホン酸塩（ＭＥＳ）、Ｃ１０〜Ｃ１８α−オレフィンスルホン酸塩（ＡＯＳ）、Ｃ６〜Ｃ２０スルホコハク酸塩類、およびこれらの混合物から成る群から選択される、請求項１に記載の組成物。
【請求項７】
前記乳化剤が、Ｃ９〜Ｃ１８アルキルエトキシレート類、Ｃ６〜Ｃ１２アルキルフェノールアルコキシラート類、Ｃ１２〜Ｃ１８アルコールおよびＣ６〜Ｃ１２アルキルフェノールとエチレンオキシド／プロピレンオキシドブロックポリマー類との縮合体、Ｃ１４〜Ｃ２２中鎖分岐アルコール類、Ｃ１４〜Ｃ２２中鎖分岐アルキルアルコキシラート類、アルキルポリグリコシド類、ポリヒドロキシ脂肪酸アミド類、エーテル末端封鎖ポリ（オキシアルキル化）アルコール類、脂肪酸（Ｃ１２〜１８）ソルビタンエステル類、およびこれらの混合物から成る群から選択される非イオン性界面活性剤をさらに含む、請求項６に記載の組成物。
【請求項８】
前記アニオン性界面活性剤が、Ｃ１１〜Ｃ１８アルキルベンゼンスルホン酸塩（ＬＡＳ）、Ｃ１０〜Ｃ１８アルキルエトキシ硫酸塩類（ＡＥｘＳ）（式中、ｘは１〜３０。）、およびこれらの混合物から成る群から選択される、請求項６に記載の組成物。
【請求項９】
前記洗濯補助剤物質が、安定剤、無窒素非イオン性界面活性剤、窒素含有洗浄性界面活性剤、カップリング剤、香料、スカベンジャー剤、柔軟仕上げ剤、洗浄性酵素、漂白剤系、キレート剤、溶媒系、発泡系、およびこれらの混合物から成る群から選択される、請求項１に記載の組成物。
【請求項１０】
組成物の約０．０１〜約１０重量％の有機シリコーン、
組成物の約０．０５〜約１５重量％のアニオン性界面活性剤、
組成物の約０．０００１〜約２０％の、１以上の洗濯補助剤物質、および
残部の水
を含む組成物であって、
前記有機シリコーンが乳化されて平均粒径約１ｎｍ〜約５００ｎｍとなり、前記組成物が約１〜約５００ｍＰａ．ｓの粘度を有し、かつ透明である、組成物。
【請求項１１】
前記洗濯補助剤が、安定剤、非イオン性界面活性剤、窒素含有界面活性剤、漂白剤、酵素、香料、スカベンジャー剤、およびこれらの混合物から成る群から選択される、請求項１０に記載の組成物。
【請求項１２】
処理を必要とする基材の処理方法であって、前記基材が処理されるように、前記基材を、請求項１に記載の布地手入れ組成物に接触させることを含む方法。
【請求項１３】
処理を必要とする基材の処理方法であって、前記基材が処理されるように、前記基材を、請求項１０に記載の布地手入れ組成物に接触させることを含む方法。
【請求項１４】
前記基材を、請求項１に記載の前記組成物に接触させることにより作製される、処理基材。
【請求項１５】
前記基材を、請求項１０に記載の前記組成物に接触させることにより作製される、処理基材。
【請求項１６】
ａ）有機シリコーン、乳化剤および水を予混合し、マイクロエマルションプレミックスを生成する工程と、
ｂ）ａ）によるプレミックスと１以上の清浄補助剤物質を混合する工程と
を含む、有機シリコーンマイクロエマルションを含有する組成物の製造方法。
【発明の詳細な説明】
【技術分野】
【０００１】
本発明は、布地への付着性を向上させるためにマイクロエマルションに配合されて、布地手入れ効果をもたらす、選択された有機シリコーン類を含む布地洗濯系、組成物および方法に関する。
【背景技術】
【０００２】
現代社会では、慌ただしさや旅行の機会の増加に伴い、洗濯および／または布地手入れの雑用に従事する時間や作業の低減が要求されている。つまり、消費者は優れた清浄力だけでなく、衣類の素晴らしい外観のような優れた布地手入れまたは衣類手入れ効果、布地の手触りのような優れた触知特性、布地の柔軟性、衣類の折れじわまたはしわの低減、除去または防止、アイロンがけの容易性、衣類の形状保持および／または形状回復、並びに布地の弾性をもたらす製品を望んでいる。
【０００３】
しわを低減する、および／または布地を柔らかくするために有機シリコーン類を使用することは、以前から知られている。最近になって、水性エマルションの形態の有機シリコーンが、洗濯および／または布地手入れ組成物に用いられてきた。より具体的には、平均粒径が約０．１ミクロン以下の範囲である有機シリコーンマイクロエマルションが、少なくとも以下の観点から従来のマクロエマルションより有利であると考えられる。（１）マイクロエマルションはより安定である、（２）マイクロエマルションを製造するために必要とするエネルギーが少ない、（３）マイクロエマルションが半透明および／または透明であるため、液体製剤に組み込まれた場合、得られる生成物がより美しく、清澄な外観を有する。洗濯または布地手入れ用途における有機シリコーンマイクロエマルションは、米国特許第５，１７３，２０１号、同第５，５３２，０２３号、同第６，４９１，８４０号および本明細書に引用された参考文献に開示されてきた。これらのマイクロエマルションは、水中有機シリコーンを界面活性剤で乳化する、従来の方法により生産される。しかしながら、これらのマイクロエマルションを調製するためには、大量の界面活性剤が必要である。マイクロエマルション中のシリコーンの標準的な濃度は、１０〜３０％である。高濃度の界面活性剤を使用すると、マイクロエマルションのコストが増大する。或いは、マイクロエマルション中のシリコーン濃度が低いと、輸送、保存等のコストが増大する。
【発明の開示】
【発明が解決しようとする課題】
【０００４】
当該技術分野における進歩にも関わらず、有機シリコーン類を使用した布地手入れの改良が依然として必要とされている。ある様態では、湿式洗濯／清浄工程中の、布地への有機シリコーンの付着を向上させることが望ましい。つまり、布地から物質を除去する清浄作業と、布地上に手入れ活性物質（有機シリコーン類のような）を付着させる必要がある布地手入れ作業の間の矛盾を解決する必要がある。別の様態では、シリコーン流体が液体洗濯用組成物に直接組み込まれ、該液体洗濯用組成物中でマイクロエマルションを形成する工程を有することが望ましい。このように工程を改良することにより、マイクロエマルションの生産において無用に大量の界面活性剤を使うことを避け、保存および輸送コストを減らすことができる。別の様態では、優れた布地清浄と布地手入れを同時に達成するために、洗濯補助剤と、選択された有機シリコーン類をこのような方法で組み合わせる洗濯用洗剤組成物を有することが望ましい。このような洗濯用洗剤が、製剤安定性および／または清澄または透明な外観を示すことがさらに望ましく、これらの全ては製品の外観の美しさの一因となる。
【課題を解決するための手段】
【０００５】
本発明は、以下で詳細に確認する、特定の有機シリコーン類の選択によって、上記で確認した技術的課題を解決する。選択された有機シリコーン類は、マイクロエマルションの調製に好適であり、布地の洗濯において優れた布地手入れをもたらす可能性を有する。さらに、有機シリコーン類の選択および補助剤の配合に対して適切に注意を払うことにより、予想以上に良好な布地手入れおよび／または家庭用洗濯製品に対する消費者の承認を得ることができる。
【０００６】
ある様態では、本発明は
（ａ）有機シリコーン、
（ｂ）アニオン性界面活性剤を含む乳化剤、
（ｃ）他の洗濯補助剤物質、および
（ｄ）水を含む担体、を含む布地清浄および布地手入れ用液体洗剤組成物を提供し、
ここで、該有機シリコーンは約１００ｎｍ未満の平均粒径を有する水溶性マイクロエマルションの形態であり、該洗剤組成物は約１〜約２０００ｍＰａ．ｓの粘度を有し、該有機シリコーンは約２〜約７のＨＬＢ値を有する。
【０００７】
本発明は、詳細な実施形態によって、衣類の優れた外観、優れた触知特性、布地の優れた手触り、布地の柔軟性、衣類の折れじわまたはしわの低減または防止、優れたアイロンがけの容易性、衣類の形状保持および／または形状回復、並びに布地の弾性のうち１以上により例示されるように、優れた布地手入れまたは衣類手入れの１以上の様態を含む、非常に多くの利点を有する。本発明は、的確な実施形態に依って、提供される洗濯組成物の優れた配合柔軟性および／または配合安定性を含む、さらなる利点を有する。
【０００８】
本発明は、予め洗浄溶液中で失われる有機シリコーン類の付着性を予想以上に強化する。さらに、本明細書の製品が布地の洗濯工程で使用される場合、自動洗濯機で洗浄前に行われる前処理（前処理効果）、洗浄中の効果、すすぎ中の効果および後処理効果のような、優れた布地手入れまたは衣類効果を保証することができる。
【０００９】
本発明の目的、特徴、および利点は、以下の詳細な説明、実施例、および添付の特許請求の範囲から更に裏付けられる。
【００１０】
別段の定めがない限り、本明細書の全ての百分率、比率および割合は、無希釈組成物の重量に基づく。
【発明を実施するための最良の形態】
【００１１】
定義
本明細書で使用する時、「補助剤」という用語は、本組成物中のアルコキシル化有機シリコーンポリマー類とともに使用するために選択される、任意の液体、固体または気体物質を指す。補助剤は、必ずしもそうとは限らないが、本質的に、アルコキシル化有機シリコーンポリマーおよび本発明の組成物中に存在する他の成分と相溶性であることが好ましい。補助剤が本質的に相溶性でない場合、それらは製造工程における添加順序を変更するような様々な技術、封入、使用時に混合されるマルチパート組成物の使用等を通じて含まれてもよい。
【００１２】
本明細書で使用する時、「処理基材」という用語は、本発明の選択された有機シリコーン類を含む組成物によって、本明細書に記載した布地手入れ効果の１以上が付与された基材、特に布地または衣類を意味する。
【００１３】
本発明で使用する時、「布地手入れ組成物」という用語は、清浄並びに布地手入れ効果をもたらす組成物を指す。
【００１４】
本明細書で使用する時、物質または組成物の「有効量」とは、意図された目的を達成するために、例えば所望の水準の布地手入れ効果を布地物品／基材へ付与するために必要とされる量である。
【００１５】
布地手入れ組成物
本明細書で使用する時、「布地手入れ組成物」は、布地手入れ添加剤組成物と、染みの付いた布地の浸漬および／または前処理に使用するために好適な組成物とを含む、手洗い、機械洗浄、およびその他の目的のための布地手入れ組成物を含む。本発明の布地手入れ組成物は、通常液体、好ましくは水性担体の形態である。カプセル化された、および／または単位化された用量の組成物が含まれ、２以上に分離しているが組み合わされて分散可能な部分を形成する組成物もまた含まれる。
【００１６】
本発明の布地手入れ組成物は、水を含む好適な担体中に、有機シリコーンマイクロエマルションと他の洗濯補助剤を含む。本発明の布地手入れ組成物は、約１ｍＰａ．ｓ（１ｃＰ）〜約２０００ｍＰａ．ｓ（２０００センチポアズ）、または約２００ｍＰａ．ｓ（２００ｃＰ）〜約８００ｍＰａ．ｓ（８００センチポアズ）の粘度を有する。粘度は、従来の方法、例えば、約２０〜２５℃で製造者の提示する操作条件を使用して、ＴＡインスツルメンツ（TA Instruments）ＡＲ１０００円錐平板粘度計によって測定することができる。
【００１７】
本発明は、マイクロエマルションの形態の、選択された有機シリコーンポリマー類を含む組成物を含む。以下に挙げる有機シリコーン類の特性のうち１以上は、湿式洗濯用製品中のマイクロエマルションの形成につながる。化学構造、ＨＬＢ値、粘度、分子量等。選択された有機シリコーン類は、好ましくは非水溶性または限定された水溶性である。好適な有機シリコーン類を以下に記載する。
【００１８】
本発明の布地手入れ組成物は、通常、組成物の約０．０１〜約１０重量％、好ましくは約０．５〜約５重量％、およびより好ましくは約１〜約３重量％の有機シリコーン類を含む。
【００１９】
本発明の組成物は、水、および所望によりアルコール、例えばエタノールのような有機溶媒を含む担体中の、選択された有機シリコーン類のマイクロエマルションを補助および／または安定化するために、乳化剤をさらに含む。
【００２０】
マイクロエマルションは、従来のマクロエマルションより安定であり、製品に組み込まれた場合、得られる製品が好ましい、清澄な外観を有する。さらに重要なことには、組成物が通常の湿式洗浄環境で使用される場合、もはやマイクロエマルションを維持することができず、そして有機シリコーン類が融合して平均粒径が約１ミクロンを超える非常に大きな液滴を形成するように、組成物中の乳化剤が希釈され始める。選択された有機シリコーン類は、非水溶性または限定された水溶性を有するため、それらは分相し、洗浄溶液から離れて「崩壊し」、布地へのより効率的な付着と、強化された布地手入れ効果をもたらす。通常の浸漬洗浄環境では、組成物は過剰な水と混合され、通常、水：組成物の重量比が１０：１〜４００：１である、洗浄溶液を形成する。
【００２１】
本発明の標準的な実施形態は、水および、所望により１以上の有機溶媒を含む溶媒系中に、組成物の約０．０１重量％〜約１０重量％の有機シリコーン類および有効量の乳化剤を含む組成物を含んでもよい。さらに、組成物は、組成物の少なくとも約０．０１重量％、好ましくは少なくとも約１重量％の、香料、柔軟仕上げ剤、酵素、漂白剤、漂白活性化剤、カップリング剤またはこれらの組み合わせのような、１以上の洗濯補助剤物質を含有してもよい。乳化剤の「有効量」は、溶媒系、好ましくは水中に有機シリコーンエマルションを生成するのに十分な量である。一部の実施形態では、乳化剤の量は、有機シリコーン１００重量部に対して、約５〜約７５重量部、または約２５〜約６０重量部にわたる。
【００２２】
本発明の別の実施形態では、少なくとも約０．０１重量％、好ましくは約０．０１重量％〜約１０重量％の有機シリコーン、乳化剤の有効量、さらに結晶性ヒドロキシル含有安定化剤、無窒素非イオン性洗浄性界面活性剤、アニオン性染料の固着剤、水および有機溶媒を含む溶媒系の各々を有する組成物を含む。本組成物は、さらにアニオン性界面活性剤および／または他の洗濯補助剤を含んでもよい。
【００２３】
本発明の布地手入れ組成物は、有効量の洗濯補助剤を含んでもよい。以下に別段の定めのない限り、洗濯補助剤の具体的な「有効量」は、布地手入れ組成物の、好ましくは約０．０１重量％〜、より好ましくは約０．１重量％〜、さらにより好ましくは約１重量％〜約２０重量％、より好ましくは〜約１５重量％、さらにより好ましくは〜約１０重量％、さらにより好ましくは〜約７重量％、最も好ましくは〜約５重量％である。
【００２４】
本発明の布地手入れ組成物の残部は、水を含む担体を含む。一部の実施形態では、水は担体の約８５〜約１００重量％である。
【００２５】
有機シリコーンマイクロエマルション
有機シリコーン化合物類および有機シリコーン化合物類のエマルションは、繊維に、互いが容易にスリップまたは滑ることを可能にする、潤滑性と滑らかさを付与し、それ故にしわとりまたはしわ制御処理を強める可能性がある。有機シリコーン類はまた、次を含む、他の布地手入れ効果の多くをもたらす可能性がある。布地の摩耗低減、布地の毛玉防止および／もしくは低減、並びに／または布地の色維持および／もしくは色あせ低減。有機シリコーン類はまた、表面張力制御および起泡制御のように、製剤に様々な効果をもたらす可能性がある。
【００２６】
本発明の組成物は、乳化剤（通常アニオン性界面活性剤）の存在下で、好適な担体（通常水）に分散した有機シリコーン粒子を含む、有機シリコーンマイクロエマルションを含有する。
【００２７】
有機シリコーンマイクロエマルションは、通常、約１００ナノメートル（ｎｍ）未満、好ましくは約５０ｎｍ未満の平均粒径を有する。この範囲の粒径を有するマイクロエマルションは、通常、得られる組成物に清澄または透明な外観をもたらす。他の標準的な実施形態では、有機シリコンマイクロエマルションは、約１ｎｍ〜約５００ｎｍ、または約１０ｎｍ〜約１００ｎｍ、または約２０ｎｍ〜約５０ｎｍの範囲の平均粒径を有する。マイクロエマルションの粒径は、リーズ＆ノースラップ・マイクロトラックＵＰＡ粒径測定機（Leeds & Northrup Microtrac UPA particle sizer）を用いるような、従来の方法で測定できる。
【００２８】
マイクロエマルションは通常、マイクロエマルションの約１０〜約７０重量％、または約２５〜約６０重量％の、分散した有機シリコーン類；約０．１〜約３０重量％、または約１〜約２０重量％のアニオン性界面活性剤；所望により、約０〜約３重量％、または約０．１〜約２０重量％の非イオン性界面活性剤；残部の水および所望により他の担体を含む。
【００２９】
（ｉ）有機シリコーン類
本発明の使用に好適な有機シリコーン類は、以下の一般式を有する。
【化１】
2009511700.tif 000002
式中、
各Ｒは、Ｃ１〜Ｃ８アルキルまたはアリール基、好ましくはＣ１〜Ｃ４アルキル、およびより好ましくはメチル基であり、
Ｘは連結基、好ましくはアルキレン基、およびより好ましくは−（ＣＨ２）ｐ−または−ＣＨ２−ＣＨ（ＯＨ）−ＣＨ２−（式中、ｐは２〜６、好ましくは２〜３である。）であり、
Ｑは、−ＮＨ２、−ＮＨ−（ＣＨ２）２−ＮＨ２、−（Ｏ−ＣＨＲ２−ＣＨ２）−Ｚ、およびこれらの混合物から成る群から選択され、［式中、Ｒ２はＨまたはＣ１〜Ｃ３アルキル、好ましくはＨまたはＣＨ３であり、Ｚは、−ＯＲ３、−ＯＣ（Ｏ）Ｒ３、−ＣＯ−Ｒ４−ＣＯ−ＯＨ、−ＳＯ３、−ＰＯ（ＯＨ）２、およびこれらの混合物から成る群から選択される。（さらに式中、Ｒ３はＨ、Ｃ１〜Ｃ２６アルキルまたは置換アルキル、Ｃ６〜Ｃ２６アリールまたは置換アリール、Ｃ７〜Ｃ２６アルキルアリールまたは置換アルキルアリール基であり、好ましくはＲ３はＨ、メチル、エチルプロピルまたはベンジル基であり、Ｒ４は−ＣＨ２−または−ＣＨ２ＣＨ２−基である。）］
ｍは４〜５０，０００、好ましくは１０〜２０，０００であり、
ｋは１〜２５，０００、好ましくは３〜１２，０００である。
【００３０】
代表的な実施形態では、本明細書に用いるのに好適な有機シリコーン類は、２５℃で約１Ｅ−５ｍ２／ｓ（１０ｃＳｔ）〜約０．６ｍ２／ｓ（６００，０００ｃＳｔ）の範囲の粘度を有する。他の実施形態では、好適な有機シリコーン類は１Ｅ−５ｍ２／ｓ（１０ｃＳｔ）〜約０．１ｍ２／ｓ（１００，０００ｃＳｔ）の粘度を有する。
【００３１】
これらの有機シリコーン類は、通常、２５℃で水に対して１０ｇ／Ｌ未満、好ましくは１ｇ／Ｌ未満の溶解度を有する。有機シリコーンの溶解度が１ｇ／Ｌを超える場合、有機シリコーンは洗浄溶液に可溶なままであり、従って布地上に付着しないであろうと考えられる。
【００３２】
好ましい有機シリコーン類のある部類は、下記のポリアルキレンオキシドポリシロキサン類である。通常、ポリアルキレンオキシドポリシロキサン類は、ジメチルポリシロキサン疎水性部分と、１以上の親水性ポリアルキレンオキシド鎖を有する。親水性ポリアルキレンオキシド鎖を側鎖（ペンダント部分）として、またはブロックコポリマー部分としてポリシロキサン疎水性部分と共に組み込むことができる。好ましいポリアルキレンオキシドポリシロキサン類は、ペンダント部分として親水性ポリアルキレンオキシドを有し、次式で表わされる。
【化２】
2009511700.tif 000003
式中、ＲはＨまたはＣ１〜Ｃ６アルキル、好ましくはＨまたはＣ１〜Ｃ４アルキルであり、ｍは４〜４０，０００であり、ｎは３〜３５，０００であり、およびｐとｑは独立して２〜３０から選択される整数である。
【００３３】
本発明の使用に好適なポリアルキレンオキシドポリシロキサン類は、約７未満、好ましくは約２〜約７のＨＬＢ値を有する。ポリマー中のポリエチレンオキシド基の量の増加につれて、ポリマーのＨＬＢも増加すると認められる。従って、好適なポリアルキレンオキシドポリシロキサン類は、ポリマーの７０重量％未満、好ましくは６０重量％未満のポリアルキレンオキシドを含有してもよい。
【００３４】
好適なポリアルキレンオキシドポリシロキサン類は、１を超える種類のアルコキシ基を含んでもよい。より具体的には、ポリシロキサン類中のポリアルキレンオキシド含量が高くなるにつれて、１を超える種類のアルコキシ基を含有しやすくなる。
【００３５】
本発明の使用に好適なポリアルキレンオキシドポリシロキサン類は、１Ｅ−５ｍ２／ｓ（１０ｃＳｔ）〜０．１ｍ２／ｓ（１００，０００ｃＳｔ）の粘度を有してもよい。
【００３６】
このような、ポリアルキレンオキシドを有するポリシロキサン類の非限定的な実施例は、コネチカット州ウィルトン（Wilton）のＧＥシリコーンズ社（GE Silicones）から入手可能なシルウェット（Silwet）（登録商標）Ｌ−７６２２、シルウェット（Silwet）（登録商標）Ｌ−７６０２、シルウェット（Silwet）（登録商標）Ｌ−７６０４、シルウェット（Silwet）（登録商標）Ｌ−７５００、マグナソフト（Magnasoft）（登録商標）ＴＬＣ；オハイオ州クリーブランド（Cleveland）のノベオン社（Noveon Inc.,）から入手可能なウルトラシル（Ultrasil）（登録商標）ＳＷ−１２およびウルトラシル（Ultrasil）（登録商標）ＤＷ−１８シリコーン類；並びにミシガン州ミッドランド（Midland）のダウコーニング社（Dow Corning）（登録商標）から入手可能なＤＣ−５０９７、ＦＦ−４００（登録商標）である。ポリアルキレンオキシドを有するポリシロキサン類のさらなる例は、ＫＦ−３５２（登録商標）、ＫＦ−６０１５（登録商標）、およびＫＦ−９４５（登録商標）であり、全て信越シリコーン株式会社（Shin Etsu Silicones）（日本、東京）から入手可能である。
【００３７】
別の部類の好ましい自己乳化シリコーンは、以下の一般式の修飾ポリアルキレンオキシドポリシロキサン類である。
【化３】
2009511700.tif 000004
式中、ＱはＮＨ２または−ＮＨＣＨ２ＣＨ２ＮＨ２であり、ＲはＨまたはＣ１〜Ｃ６アルキルであり、ｒは１〜１０００であり、ｍは４〜４０，０００であり、ｎは３〜３５，０００であり、およびｐとｑは独立して２〜３０から選択される整数である。
【００３８】
この部類の有機シリコーン類の非限定的な実施例は、ともにオハイオ州クリーブランド（Cleveland）のノベオン社（Noveon Inc.,）から入手可能な、ウルトラシル（Ultrasil）（登録商標）Ａ２１およびウルトラシル（Ultrasil）（登録商標）Ａ−２３；日本の東レ・ダウコーニング株式会社（Dow Corning Toray Ltd.,）製ＢＹ１６−８７６（登録商標）；並びに日本、東京の信越化学工業株式会社（Shin Etsu Corporation）製Ｘ２２−３９３９Ａである。
【００３９】
好ましい有機シリコーン類の第三の部類は、以下の一般式の修飾ポリアルキレンオキシドポリシロキサン類である。
【化４】
2009511700.tif 000005
式中、Ｚは
ｉ．
【化５】
2009511700.tif 000006
（式中、Ｒ７はＣ１〜Ｃ２４アルキル基である。）、
ｉｉ．
【化６】
2009511700.tif 000007
（式中、Ｒ４はＣＨ２またはＣＨ２ＣＨ２である。）、
ｉｉｉ．−ＳＯ３、
ｉｖ．
【化７】
2009511700.tif 000008
ｖ．
【化８】
2009511700.tif 000009
ｖｉ．
【化９】
2009511700.tif 000010
から選択される。
（式中、Ｒ８はＣ１〜Ｃ２２アルキルであり、Ａは適切なアニオン、好ましくはＣｌ−であり、ｍは４〜４０，０００であり、ｎは３〜３５，０００であり、およびｐとｑは独立して２〜３０から選択される整数である。）
これらのシリコーン類の例は、全てオハイオ州クリーブランド（Cleveland）のノベオン社（Noveon Inc.,）から入手可能な、ウルトラシル（登録商標）ＳＷ−１２、ウルトラシル（登録商標）ＤＷ−１８、ウルトラシル（登録商標）ＤＷ−ＡＶ、ウルトラシル（登録商標）Ｑ−Ｐｌｕｓ、ウルトラシル（登録商標）Ｃａ−１、ウルトラシル（登録商標）ＣＡ−２、ウルトラシル（登録商標）ＳＡ−１およびウルトラシル（登録商標）ＰＥ−１００である。さらなる非限定的な実施例は、ニュージャージー州サマービル（Somerville）のフェニックスケミカル社（Phoenix Chemical Inc.,）から入手可能な、ペコシル（登録商標）ＣＡ−２０、ペコシル（登録商標）ＳＭ−４０、ペコシル（登録商標）ＰＡＮ−１５０が挙げられる。
【００４０】
他の実施形態では、上記の部類のポリアルキレンオキシドポリシロキサン類の混合物もまた好ましい。
【００４１】
（ｉｉ）乳化剤類
本発明の組成物中の有機シリコーンマイクロエマルションの形成を補助するのに有用な乳化剤は、アニオン性界面活性剤である。所望により、洗浄効果をもたらすための洗濯補助剤として有用な非イオン性界面活性剤もまた、マイクロエマルションの形成および安定性を補助できる。代表的な実施形態では、乳化剤の量は、組成物の約０．０５重量％〜約１５重量％である。
【００４２】
アニオン性界面活性剤の非限定的な実施例は、Ｃ１１〜Ｃ１８アルキルベンゼンスルホン酸塩（ＬＡＳ）またはＣ１０〜Ｃ２０分岐鎖およびランダムアルキル硫酸塩類（ＡＳ）のようなスルホン酸アルキル類；Ｃ１０〜Ｃ１８アルキルエトキシサルフェート類（ＡＥｘＳ）（式中、ｘは１〜３０である。）、中鎖分岐アルキルサルフェート類（米国特許第６，０２０，３０３号および同第６，０６０，４４３号）または中鎖分岐アルキルアルコキシサルフェート類（米国特許第６，００８，１８１号および同第６，０２０，３０３号）、１〜５のエトキシ単位を含むＣ１０〜Ｃ１８アルキルアルコキシカルボキシレート；国際公開特許第９９／０５２４３号、同第９９／０５２４２号、同第９９／０５２４４号、同第９９／０５０８２号、同第９９／０５０８４号、同第９９／０５２４１号、同第９９／０７６５６号、同第００／２３５４９号、および同第００／２３５４８号で論じられているような修飾アルキルベンゼンスルホン酸塩（ＭＬＡＳ）；Ｃ１２〜Ｃ２０メチルエステルスルホン酸塩（ＭＥＳ）；Ｃ１０〜Ｃ１８α−オレフィンスルホン酸塩（ＡＯＳ）；およびＣ６〜Ｃ２０スルホサクシネートが挙げられる。
【００４３】
好ましい洗濯補助剤
（ａ）安定剤−本発明の組成物は安定剤を含んでもよく、好ましくは含む。本成分の好適な濃度は、組成物の約０．０１重量％〜約２０重量％、より好ましくは約０．１重量％〜約１０重量％、さらにより好ましくは約０．１重量％〜約３重量％の範囲である。安定剤は、本発明の組成物中で有機シリコーンを安定化させ、有機シリコーンが凝固および／またはクリーム状になるのを防ぐ働きをする。これは、本発明の組成物が、強力洗浄用または繊細な布地の洗浄用の液体もしくはゲル形態の洗濯洗剤、および洗浄前または後に使用するための液体もしくはゲル形態の布地処理剤の場合のように流体形態である場合に、特に重要である。
【００４４】
本明細書で用いるのに好適な安定剤としては、結晶性ヒドロキシル含有安定剤、さらにより好ましくは、トリヒドロキシステアリン、硬化油、またはこれらの変形が挙げられる。
【００４５】
ある実施形態では、方法は、糸状構造が調製されるように、結晶性ヒドロキシル含有安定剤を活性化することを含む。糸状構造系を製造する本方法についての詳細は、プロクター・アンド・ギャンブル社（The Procter and Gamble Company）に発行された、米国特許第６，０８０，７０８号中に見出すことができる。
【００４６】
結晶性ヒドロキシル含有安定化剤は通常、本発明の液体組成物中に、該液体組成物の約０．１重量％〜約１０重量％、より一般的には約０．１重量％〜約３重量％、最も一般的には約０．３重量％〜約２重量％の濃度で存在する。
【００４７】
一部の実施形態では、結晶性ヒドロキシル含有安定剤は、脂肪酸、脂肪酸エステル、または脂肪石鹸を含む非水溶性ろう様物質であってよい。他の実施形態では、結晶性ヒドロキシル含有安定剤は、ヒマシ油の誘導体類、特に硬化ヒマシ油誘導体類、例えばヒマシろうであってよい。さらに他の実施形態では、結晶性ヒドロキシル含有剤は通常、
ｉ）Ｒ１ＯＣＨ２ＣＨ（ＯＲ２）ＣＨ２ＯＲ３（式中、Ｒ１は−Ｃ（Ｏ）Ｒ４であり、Ｒ２はＲ１またはＨであり、Ｒ３はＲ１またはＨであり、およびＲ４は独立して、少なくとも１つのヒドロキシル基を含むＣ１０〜Ｃ２２アルキルまたはアルケニルである。）、
ｉｉ）
【化１０】
2009511700.tif 000011
（式中、Ｒ７は
【化１１】
2009511700.tif 000012
であり、Ｒ４は上記ｉ）で定義されたとおりであり、ＭはＮａ＋、Ｋ＋、Ｍｇ＋＋、Ａｌ３＋、またはＨである。）および
ｉｉｉ）これらの混合物。から成る群から選択される。
【００４８】
或いは、結晶性ヒドロキシル含有安定剤は以下の式を有してもよい。
ＣＨ３（ＣＨ２）ａＣＨＯＨ（ＣＨ２）ｘＣ（Ｏ）ＯＣＨ２ＣＨ（Ｏ（Ｏ）Ｃ（ＣＨ２）ｙＣＨＯＨ（ＣＨ２）ｂＣＨ３）−ＣＨ２Ｏ（Ｏ）Ｃ（ＣＨ２）ｚＣＨＯＨ（ＣＨ２）ｃＣＨ３
式中、
（ｘ＋ａ）は１１〜１７であり、（ｙ＋ｂ）は１１〜１７であり、および（ｚ＋ｃ）は１１〜１７であり、好ましくは、ｘ＝ｙ＝Ｚ＝１０および／またはａ＝ｂ＝ｃ＝５である。
【００４９】
市販されている結晶性のヒドロキシル含有安定剤としては、レオックス社（Rheox,Inc）製のチキシン（THIXCIN）（登録商標）が挙げられる。
【００５０】
本明細書に用いるのに好適な安定剤はまた、通常約０．００５重量％〜約３重量％の濃度の増粘安定剤から選択してもよい。これらには、ガム類および他の類似の多糖類、例えば、ジェランガム、カラギーナンガム、および高度にポリアニオン性である種類以外の、その他の既知の種類の増粘剤およびレオロジー添加剤が含まれ、したがって、従来の粘土類は含まれない。この部類の代表的な安定剤としては、ガム型ポリマー類（例えば、キサンタンガム）、ポリビニルアルコールおよびその誘導体、セルロースおよびその誘導体、およびタマリンドガム（好ましくはキシログルカンポリマー類から成るもの）、グアーガム、ローカストビーンガム（好ましくはガラクトマンナンポリマー類から成るもの）、およびその他の工業用ガム類およびポリマー類が挙げられ、これらに限定されないが、タラ（Tara）、コロハ、アロエ、チーア（Chia）、亜麻仁（Flaxseed）、オオバコ種子（Psyllium seed）、マルメロ種子、キサンタン、ジェラン、ウェラン、ラムザン（rhamsan）、デキストラン、カードラン、プルラン、スクレログルカン（scleroglucan）、シゾフィラン、キチン、ヒドロキシアルキルセルロース、アラビナン（好ましくはサトウダイコン類からのもの）、脱分岐（de-branched）アラビナン（好ましくはサトウダイコン類からのもの）、アラビノキシラン（好ましくはライ麦および小麦粉からのもの）、ガラクタン（好ましくはルーピン（lupin）およびジャガイモ類からのもの）、ペクチンガラクタン（好ましくはジャガイモからのもの）、ガラクトマンナン（好ましくはイナゴマメ（carob）からのもの、並びに低粘度および高粘度のものを含む）、グルコマンナン、リケナン（好ましくはアイスランドコケからのもの）、マンナン（好ましくはゾウゲヤシの実類からのもの）、パキマン（pachyman）、ラムノガラクトロナン（rhamnogalacturonan）、アカシアゴム、寒天、アルギネート類、カラギーナン、キトサン、クラバン（clavan）、ヒアルロン酸、ヘパリン、イヌリン、セロデキストリン類（cellodextrins）、カルボキシメチルセルロース（ＣＭＣ）、デキストラン類、デキストリン類、エチルヒドロキシエチルセルロース（ＥＨＥＣ）、グアー、ヒドロキシエチルセルロース（ＨＥＣ）、ヒドロキシプロピルセルロース（ＨＰＣ）、ヒドロキシブチルセルロース（ＨＢＣ）、カラヤ、カラマツ、メチルセルロース（ＭＣ）、タマリンド、スクレログルカン、キサンタン、カルボキシメチルヒドロキシエチルセルロース（ＣＭＨＥＣ）、メトキシプロピルメチルセルロース（ＭＰＭＣ）、ヘキシルカルボキシメチルセルロース、Ｃ１２〜Ｃ２０アルキルカルボキシメチルセルロース、メチルヒドロキシエチルセルロース（ＭＨＥＣ）、メチルヒドロキシプロピルセルロース（ＭＨＰＣ）、ヒドロキシエチルメチルセルロース（ＨＥＭＣ）、ヒドロキシプロピルメチルセルロース（ＨＰＭＣ）、ヒドロキシブチルメチルセルロース（ＨＢＭＣ）、およびそれらの混合物が挙げられる。
【００５１】
（ｂ）無窒素非イオン性界面活性剤−本組成物は、この種の洗浄性界面活性剤を組み込んだ好ましい実施形態を含んでもよく、好ましくは含む。本成分の好適な濃度は、組成物の約０．０１重量％〜約８０重量％、より一般的には約０．１重量％〜約５０重量％、好ましくは約１重量％〜約３０重量％の範囲である。
【００５２】
この種の好適な界面活性剤は、直鎖または分岐ヒドロカルビル部分を有する任意の好適な洗浄性アルコール類の、エチレンオキシド、プロピレンオキシド、ブチレンオキシド、および混合アルキレンオキシド縮合体を含む、アルコキシレート類から調製することができる。この種の代表的な非イオン性界面活性剤は、以下を含む。
１）シェル（Shell）製のネオドール（NEODOL）（登録商標）非イオン性界面活性剤のようなＣ９〜Ｃ１８アルキルエトキシレート類、
２）アルコキシレート単位がエチレンオキシおよびプロピレンオキシ単位の混合物である、Ｃ６〜Ｃ１２アルキルフェノールアルコキシレート類、
３）Ｃ１２〜Ｃ１８アルコールおよび、ＢＡＳＦ製プルロニック（Pluronic）（登録商標）のようなＣ６〜Ｃ１２アルキルフェノールのエチレンオキシド／プロピレンオキシドブロックポリマー類との縮合体、
４）米国特許第６，１５０，３２２号で論じられているような、Ｃ１４〜Ｃ２２中鎖分岐アルコール類、ＢＡ、
５）米国特許第６，１５３，５７７号、同第６，０２０，３０３号、および同第６，０９３，８５６号で論じられているような、Ｃ１４〜Ｃ２２中鎖分岐アルキルアルコキシラート類、ＢＡＥｘ、（式中、ｘは１〜３０である。）、
６）米国特許第４，５６５，６４７号（レナド（Llenado）、１９８６年１月２６日発行）で論じられているようなアルキル多糖類、特に、米国特許第４，４８３，７８０号および同第４，４８３，７７９号で論じられているようなアルキルポリグリコシド類、
７）米国特許第６，４８２，９９４号、国際公開特許第０１／４２４０８号、および同第０１／４２４０８号で論じられているような、エーテル末端封鎖ポリ（オキシアルキル化）アルコール界面活性剤類、並びに
８）脂肪酸（Ｃ１２〜１８）ソルビタンエステル類、スパン（Span）（登録商標）、およびそれらのエトキシ化（ＥＯ５−１００）誘導体類、スパン（Span）（登録商標）２０、トゥイーン（Tween）（登録商標）２０、トゥイーン（Tween）（登録商標）６０、トゥイーン（Tween）（登録商標）８０（ユニケマ社（Uniqema）から市販）のようなポリソルビン酸。
【００５３】
エトキシ化界面活性剤の他の例としては、カルボキシレートアルコールエトキシレート類が挙げられる。
【００５４】
本明細書に用いるための他の非イオン性界面活性剤としては、米国特許第５，３３２，５２８号、国際公開特許第９２／０６１６２号、同第９３／１９１４６号、同第９３／１９０３８号、および同第９４／０９０９９号で論じられているようなポリヒドロキシ脂肪酸アミド類；米国特許第４，５６５，６４７号（レナド（Llenado）、１９８６年１月２１日発行）に開示されている、約６〜約３０個、好ましくは約１０〜約１６個の炭素原子と、多糖類、例えば約１．３〜約１０個の多糖類単位を含有する親水基を有するポリグリコシド、を含有する疎水基を有するアルキル多糖類が挙げられるが、これらに限定されない。５個または６個の炭素原子を含有する任意の還元糖を使用することができる。所望により、疎水基が２−、３−、４−などの位置に結合されることによって、グルコシドまたはガラクトシドとは対照的にグルコースまたはガラクトースを生じる。糖間結合は、例えば、さらなる糖単位のある位置と、前述の糖単位の２−、３−、４−、および／または６−位との間に存在してもよい。好ましいアルキルポリグリコシド類は、次式：ＲＯ（ＣｎＨ２ｎＯ）ｔ（グリコシル）ｘを有し、式中、Ｒは、アルキル、アルキルフェニル、ヒドロキシアルキル、ヒドロキシアルキルフェニル、およびこれらの混合物からなる群から選択され、該アルキル基は約１０〜約１８個、好ましくは約１２〜約１４個の炭素原子を含有し；ｎは２または３、好ましくは２であり；ｔは０〜約１０、好ましくは０であり；ｘは約１．３〜約１０、好ましくは約１．３〜約３、最も好ましくは約１．３〜約２．７であり、およびグリコシルは好ましくはグルコース由来である。
【００５５】
（ｃ）窒素含有洗浄性界面活性剤−本成分の好適な濃度は、存在する場合、組成物の約０．０１重量％〜約２０重量％、より好ましくは約０．１重量％〜約１５重量％、一般的には約１重量％〜約１０重量％の範囲である。本明細書の窒素含有洗浄性界面活性剤は、好ましくは、カチオン性窒素含有洗浄性界面活性剤、アミンオキシド界面活性剤、アミンおよびアミド官能性洗浄性界面活性剤（脂肪アミドアルキルアミン類を含む）およびこれらの混合物から選択される。エトキシ化四級アンモニウムおよびエトキシ化（etyhoxylated）アルキルアミン界面活性剤もまた、本明細書で使用することができる。窒素含有洗浄性界面活性剤は、通常水溶性であり、シリコーン界面活性剤を含まない。この種の異なる界面活性剤類を、様々な割合で組み合わせることができる。
【００５６】
ｉ）カチオン性窒素含有洗浄性界面活性剤−本発明の組成物に使用するのに好適なカチオン性窒素含有洗浄性界面活性剤は、一般に水溶性であり、および少なくとも１つの四級化窒素および１つの長鎖ヒドロカルビル基を有する。このようなカチオン性界面活性剤の例としては、水溶性アルキルトリメチルアンモニウム塩類またはヒドロキシアルキルで置換されたその類似体類、好ましくは式Ｒ１Ｒ２Ｒ３Ｒ４Ｎ＋Ｘ−を有する化合物が挙げられ、式中、Ｒ１は、Ｃ８〜Ｃ１６アルキルであり、Ｒ２、Ｒ３、およびＲ４は、それぞれ独立にＣ１〜Ｃ４アルキル、Ｃ１〜Ｃ４ヒドロキシアルキル、ベンジル、および（Ｃ２Ｈ４Ｏ）ｘＨ（式中、ｘの値は２〜５である）であり、Ｘはアニオンである。ベンジルは、Ｒ２、Ｒ３またはＲ４のうち多くとも１つであるべきである。Ｒ１の好ましいアルキル鎖長は、Ｃ１２〜Ｃ１５である。Ｒ２、Ｒ３、およびＲ４に好ましい基は、メチルおよびヒドロキシエチルであり、アニオンＸはハロゲン化物イオン、メト硫酸イオン、酢酸イオン、およびリン酸イオンから選択されてもよい。
【００５７】
ｉｉ）アミンオキシド界面活性剤−これらの界面活性剤は次式を有する：Ｒ（ＥＯ）ｘ（ＰＯ）ｙ（ＢＯ）ｚＮ（Ｏ）（ＣＨ２Ｒ’）２・ｑＨ２Ｏ（Ｉ）。Ｒは、飽和または不飽和、直鎖または分岐状であり得る比較的長鎖のヒドロカルビル部分であり、約８〜約２０個、好ましくは約１０〜約１６個の炭素原子を含有してもよく、より好ましくはＣ１２〜Ｃ１６一級アルキルである。Ｒ’は、好ましくは水素、メチルおよびＣＨ２ＯＨから選択される、短鎖部分である。ｘ＋ｙ＋ｚが０と異なる場合、ＥＯはエチレンオキシ、ＰＯはプロピレンオキシ（propyleneneoxy）およびＢＯはブチレンオキシである。アミンオキシド界面活性剤は、Ｃ１２〜１４アルキルジメチルアミンオキシドにより例示される。
【００５８】
ｉｉｉ）アミンおよびアミド官能性洗浄性界面活性剤−これらの界面活性剤の好ましい群は、アミン界面活性剤、好ましくは、式ＲＸ（ＣＨ２）ｘＮＲ２Ｒ３を有するアミン界面活性剤［式中、Ｒは、Ｃ６〜１２アルキルであり；Ｘは、ＮＨ、ＣＯＮＨ、ＣＯＯ、もしくはＯから選択される架橋基であり、またはＸは存在しなくてもよく；ｘは、２〜４であり；Ｒ２およびＲ３は、それぞれ独立して、Ｈ、Ｃ１〜４アルキル、または（ＣＨ２−ＣＨ２−Ｏ（Ｒ４））（式中、Ｒ４は、Ｈまたはメチルである。）から選択される。］を含む。この種の特に好ましい界面活性剤としては、デシルアミン、ドデシルアミン、Ｃ８〜１２ビス（ヒドロキシエチル）アミン、Ｃ８〜１２ビス（ヒドロキシプロピル）アミン、Ｃ８〜１２アミドプロピルジメチルアミン、およびこれらの混合物から成る群から選択されるものが挙げられる。
【００５９】
この界面活性剤の群としては、式ＲＣ（Ｏ）ＮＲ’２を有する脂肪酸アミド界面活性剤類（式中、Ｒは、約１０〜約２０個の炭素原子を含有するアルキル基であり、各Ｒ’は、好ましくは水素、並びにＣ１〜４アルキルおよびヒドロキシアルキルからなる群から選択される短鎖部分である。）も挙げられる。Ｃ１０〜１８Ｎ−アルキルポリヒドロキシ脂肪酸アミド類もまた使用できる。代表的な例としては、Ｃ１２〜１８Ｎ−メチルグルカミド類が挙げられる。国際公開特許第９２／０６１５４号を参照のこと。糖由来の他の窒素含有非イオン性界面活性剤としては、Ｃ１０〜１８のＮ−（３−メトキシプロピル）グルカミドのようなＮ−アルコキシポリヒドロキシ脂肪酸アミド類が挙げられる。
【００６０】
（ｄ）カップリング剤−本明細書に用いるのに適したカップリング剤としては、顕著な界面活性剤特性を有するもの以外、または従来の溶媒（低級アルカノールアミン類など）以外の、脂肪族アミン類が挙げられる。これらのカップリング剤の例としては、ヘキシルアミン、オクチルアミン、ノニルアミン、およびこれらのＣ１〜Ｃ３二級および三級類似体類が挙げられる。この成分の濃度は、存在する場合、好適には組成物の約０．１重量％〜約２０重量％、より一般的には約０．５重量％〜約５重量％の範囲である。
【００６１】
カップリング剤の特に有用な群は、少なくとも５、好ましくは６個の脂肪族炭素原子により互いに分離された２つの極性基から成る分子から成る群から選択され、この群の好ましい化合物は、無窒素であり、かつ１，４シクロヘキサンジメタノール（ＣＨＤＭ）、１，６ヘキサンジオール、１，７へプタンジオールおよびこれらの混合物を含み、該１，４シクロヘキサンジメタノールは、シス型立体配置、トランス型立体配置または両方の立体配置の混合状態で存在してもよい。
【００６２】
（ｅ）香料−香料は本発明の布地手入れ組成物中に組み込まれることが好ましい。香料成分は、本発明の布地手入れ組成物への添加に先立ち、予混合して香料アコード（accord）を形成してもよい。本明細書で使用する時、「香料」という用語は、個々の香料成分並びに香料アコードを包含する。
【００６３】
布地手入れ組成物中の香料アコードの濃度は、通常、布地手入れ組成物の約０．０００１重量％〜約２重量％以上、例えば約１０重量％；好ましくは約０．０００２重量％〜約０．８重量％、より好ましくは約０．００３重量％〜約０．６重量％、最も好ましくは約０．００５重量％〜約０．５重量％である。
【００６４】
香料アコード中の香料成分の濃度は、通常、香料アコードの約０．０００１重量％（より好ましくは０．０１重量％）〜約９９重量％、好ましくは約０．０１重量％〜約５０重量％、より好ましくは約０．２重量％〜約３０重量％、さらにより好ましくは約１重量％〜約２０重量％、最も好ましくは約２重量％〜約１０重量％である。
【００６５】
本発明の布地手入れ組成物は、洗浄した布地に清新な印象をもたらす、心地良い匂いの形態をした「香りのシグナル（scent signal）」を提供するための香料または香料アコードを含んでもよい。香料成分は、好適には布地手入れ組成物の約０．０００１重量％〜約１０重量％の範囲の濃度で存在し、その沸点（Ｂ．Ｐ．）によって特徴付けられる。香料成分は、一般的な、標準圧力０．１０ＭＰａ（７６０ｍｍＨｇ）において測定された場合、約２４０℃以上、好ましくは約２５０℃以上の沸点を有する。好ましくは、香料成分は、３を超える、より好ましくは約３〜約６のＣｌｏｇＰを有する。
【００６６】
一部の実施形態では、本発明の布地手入れ組成物で用いられる香料アコードは、少なくとも２種の異なる香料成分を含有する。他の実施形態では、本発明の布地手入れ組成物で用いられる香料アコードは、少なくとも３〜少なくとも７種の異なる香料成分を含有する。天然源由来の最も一般的な香料成分は、多数の成分から成る。このような各物質が本発明の香料アコードの配合に使用される場合、本発明を定義する目的では、それら各物質は、単一成分として数えられる。
【００６７】
任意の種類の香料を本発明の組成物に組み込むことができる。好ましい香料成分は、布地および衣服への適用のため用いるのに好適なものである。このような好ましい成分の代表的な例は、米国特許第５，４４５，７４７号において既知である。
【００６８】
布地上で芳香が長く続くことが望ましい場合、約３００℃以上の沸点を有する香料成分を少なくとも有効量用いることが好ましい。このような好ましい成分の非限定的な実施例は、本明細書に参照として組み込まれている、米国特許第５，５００，１３８号（バコン（Bacon）ら、１９９６年３月１９日発行）において既知である。布地を本発明のしわ制御組成物により処理した後、香料成分を緩徐に放出できる物質を用いることも好ましい。この種の物質の例は、米国特許第５，５３１，９１０号（セバーン（Severns）ら、１９９６年７月２日発行）において既知である。
【００６９】
シクロデキストリンが存在する場合、たとえ組成物中の香料が全て、シクロデキストリン分子と錯体を形成しても、さらに溶液中の非錯体型シクロデキストリン分子の有効量が存在し、十分に匂いを制御するような濃度で、香料を添加することが重要である。シクロデキストリンが存在する場合、匂い制御のために有効量のシクロデキストリン分子を確保するため、香料は通常、香料・シクロデキストリン錯体の約９０％未満、好ましくは約５０％未満、より好ましくは約３０％未満、および最も好ましくは約１０％未満の濃度で存在する。シクロデキストリンの香料に対する重量比は、約５：１を超える、好ましくは約８：１を超える、より好ましくは約１０：１を超える、さらにより好ましくは約２０：１を超える、さらにより好ましくは４０：１を超える、および最も好ましくは７０：１を超えるべきである。
【００７０】
好ましくは、香料は親水性であり、主に、２つの群の成分、つまり（ａ）約３．５未満、より好ましくは約３．０未満のＣｌｏｇＰを有する親水性成分、および（ｂ）検知閾値の著しく低い成分、並びにこれらの混合物から選択される成分から成る。通常、香料の少なくとも約５０重量％、好ましくは少なくとも約６０重量％、より好ましくは少なくとも約７０重量％、および最も好ましくは約８０重量％が、上記（ａ）および（ｂ）群の香料成分から成る。これらの好ましい香料において、シクロデキストリンの香料に対する比は、通常約２：１〜約２００：１、好ましくは約４：１〜約１００：１、より好ましくは約６：１〜約５０：１、およびさらにより好ましくは約８：１〜約３０：１である。上記（ａ）および（ｂ）群の香料成分の例は、米国特許第６，４９１，８４０号に開示されている。
【００７１】
さらに、米国特許第６，９０３，０６１号に開示されているもののような布地用直接香料（substantive perfumes）もまた本明細書で有用である。
【００７２】
（ｆ）スカベンジャー剤−本発明の組成物は、少なくとも約０．００１重量％、好ましくは約０．５重量％〜約１０重量％、最も好ましくは〜約５重量％のスカベンジャー剤を１以上含んでいてよい。本明細書に用いるのに適したスカベンジャー剤は、不堅牢染料および／またはアニオン性界面活性剤および／または汚れを捕捉するように選択されたスカベンジャー剤から選択される。
【００７３】
好ましいスカベンジャー剤は、アニオン性染料のための固着剤、アニオン性界面活性剤のための錯化剤、粘土汚れ抑制剤、およびこれらの混合物から成る群から選択される。これらの物質は、あらゆる好適な比率で組み合わせることができる。好適な化合物は、一般的にゴスリンク（Gosselink）らの共有特許に開示されており、ＢＡＳＦ、チバ（Ciba）、およびその他から市販されている。
【００７４】
ｉ）アニオン性染料のための固着剤−染料固着剤（Dye fixing agents）、「定着剤（fixatives）」、または「固着剤（fixing agents）」は、洗浄に起因した布地からの染料の喪失を最小限に抑えることにより、染色された布地の外観を改善するように設計された、周知の市販物質である。一部の実施形態で柔軟仕上げ活性物質の機能を果たすことができる成分は、この定義には含まれない。
【００７５】
アニオン性染料のための固着剤の多くは、カチオン性であり、使用条件下においてその場で形成される強いカチオン電荷を有する、四級化窒素化合物または窒素化合物を主体とする。
【００７６】
固着剤は、いくつかの供給元から様々な商品名で入手可能である。代表的な例としては、クロスフィールド（Crosfield）製のクロスカラー（CROSCOLOR）ＰＭＦ（１９８１年７月、コード番号７８９４）およびクロスカラー（CROSCOLOR）ＮＯＦＦ（１９８８年１月、コード番号８５４４）；サンド（Sandoz）製のインドソル（INDOSOL）Ｅ−５０（１９８４年２月２７日、参照番号６００８．３５．８４；ポリエチレンイミン系）；サンド（Sandoz）製のサンドフィックス（SANDOFIX）ＴＰＳが挙げられ、これらは本明細書で用いるのに好ましい染料固着剤である。さらなる非限定的な実施例は、サンド（Sandoz）製のサンドフィックス（SANDOFIX）ＳＷＥ（カチオン性の樹脂性化合物）、ＣＨＴ−ベイトリッチ（Beitlich）社（CHT-Beitlich GMBH）製のレウィン（REWIN）ＳＲＦ、レウィンＳＲＦ−Ｏ、およびレウィンＤＷＲ；チバ・ガイギー（Ciba-Geigy）製のチノフィックス（Tinofix）（登録商標）ＥＣＯ、チノフィックス（登録商標）ＦＲＤおよびゾルフィン（Solfin）（登録商標）が挙げられ、これらは国際公開特許第９９／１４３０１号に記載されている。本発明の組成物に使用するのに好ましい他の固着剤は、クラリアント（Clariant）製のカルタフィックスＣＢ（CARTAFIX CB）（登録商標）、および国際公開特許第９９／１４３００号に記載の環状アミン系のポリマー類、オリゴマー類、またはコポリマー類である。
【００７７】
本明細書で有用な他の固着剤は、クリストファー（Christopher）Ｃ．クック（Cook）著、Ｒｅｖ．Ｐｒｏｇ．Ｃｏｌｏｒａｔｉｏｎ１２巻（１９８２年）「紡績繊維上の染料の固着を向上させるための後処理（Aftertreatments for Improving the Fastness of Dyes on Textile Fibres）」に記載されている。本発明で使用するのに適した染料固着剤は、脂肪酸−ジアミン縮合体類のようなアンモニウム化合物類、とりわけ、ジアミンエステル類のヒドロクロリド、アセテート、メトサルフェート、およびベンジルヒドロクロリド塩類である。非限定的な実施例は、オレイルジエチルアミノエチルアミド、オレイルメチルジエチレンジアミンメトサルフェート、およびモノステアリルエチレンジアミノトリメチルアンモニウムメトサルフェートが挙げられる。さらに、界面活性剤活性（surfactant-active）Ｎ−酸化物類以外のＮ−酸化物類、より具体的にはポリビニルピリジンＮ−酸化物のような高分子Ｎ−酸化物類が、本明細書の固着剤として有用である。他の有用な固着剤としては、高分子アルキルジアミン類の誘導体類、ポリアミン−塩化シアヌル縮合体類、およびアミノ化されたグリセロールジクロロヒドリン類が挙げられる。
【００７８】
アニオン性染料のための固着剤は、本発明の方法では、本組成物に完全に組み込まれた剤の形態で、または、それら固着剤を有機シリコーン含有組成物と共に洗浄に添加できる別個の物品、例えば基材物品もしくはシートの形態で、本発明による洗濯処理方法に含めることにより、使用することができる。このように、固着剤は、有機シリコーン組成物の使用を補完することができる。このような染料固着物品と有機シリコーン類を含む組成物との組み合わせを、キットの形態で合わせて販売することができる。
【００７９】
ｉｉ）アニオン性界面活性剤および／または汚れのためのスカベンジャー剤−アニオン性界面活性剤および／または汚れのための好適なスカベンジャー剤としては、アルコキシル化ポリアルキレンイミン類および／またはそれらの四級化された誘導体が挙げられる。
【００８０】
（ｇ）柔軟仕上げ剤−柔軟仕上げ剤は、本発明の好ましい組成物中に存在する場合、特定の実施形態では、好適には組成物の〜約３０重量％、より一般的には約１重量％〜約２０重量％、好ましくは約２重量％〜約１０重量％の濃度である。本発明で使用するための好適な柔軟仕上げ剤としては、現在市販されている四級化長鎖柔軟仕上げ剤類、特に様々なヨウ素価を有する少なくとも部分的に不飽和なエステルクワット類が挙げられる。好適な柔軟仕上げ剤としてより一般的には、極性先端基と、好ましくはアルキル、アルケニルおよびこれらの混合物から選択される２つの長鎖ヒドロカルビル部分を含む、カチオン性非水溶性第四級アンモニウム化合物である布地柔軟化化合物が挙げられ、該ヒドロカルビル部分はそれぞれＣ１２以上の、好ましくはＣ１４を超える、より好ましくはＣ１６を超える平均鎖長を有し、さらにより好ましくは、各長鎖アルキルまたはアルケニル基の少なくとも５０％は主に直鎖状である。好ましい全体の鎖長は約Ｃ１８であるが、０ではない割合のより低級、例えばＣ１４、Ｃ１６、およびいくらかより高級な、例えばＣ２０鎖の鎖長の混合体が、極めて望ましいことがあり得る。カチオン性柔軟仕上げ剤は、好適にはジステアリルジメチルアンモニウムクロライドまたはその不飽和化された類似体であってよいが、環境のためにより好ましくは、四級アンモニウム柔軟仕上げ剤は生分解性となるように選択される。この特性は、例えば、ジ（タロイルオキシエチル）ジメチルアンモニウムクロライドのような一般に市販されているエステルクワット柔軟仕上げ剤に存在する。
【００８１】
ある好ましい実施形態では、布地柔軟化化合物は、少なくとも１つのエステル部分、好ましくは２つのこのようなエステル部分を介して四級アンモニウム部分に連結された２つのＣ１２〜２２アルキルまたはアルケニル基を有する四級アンモニウムエステルクワット化合物である。本組成物に使用するための好ましいエステルクワットアンモニウム柔軟仕上げ剤は、以下の式を有する。
【００８２】
｛（Ｒ１）２Ｎ（（ＣＨ２）ｎＥＲ２）２｝＋Ｘ−（式中、各Ｒ１基は独立して、Ｃ１〜４アルキル、ヒドロキシアルキル、またはＣ２〜４アルケニルから選択され、各Ｒ２は独立して、Ｃ８〜２８アルキルまたはアルケニル基から選択され、Ｅはエステル部分、即ち−ＯＣ（Ｏ）−または−Ｃ（Ｏ）Ｏ−であり、ｎは０〜５であり、およびＸ−は好適なアニオンであり、例えばクロライド、メトサルフェート、およびこれらの混合物である。）
第二の種類の好ましい四級アンモニウム物質は、次式で表すことができる：｛（Ｒ１）３Ｎ（ＣＨ２）ｎＣＨ（Ｏ（Ｏ）ＣＲ２）ＣＨ２Ｏ（Ｏ）ＣＲ２｝＋Ｘ−（式中各Ｒ１基は独立してＣ１〜４アルキル、ヒドロキシアルキル、またはＣ２〜４アルケニルから選択され；各Ｒ２は独立してＣ８〜２８アルキルまたはアルケニル基から選択され；ｎは０〜５であり；およびＸ−は好適なアニオン、例えばクロライド、メトサルフェート、およびこれらの混合物である。）この後者の部類は、１，２ビス［硬化タロイルオキシ（tallowoyloxy）］−３−トリメチルアンモニウムプロパンクロライドによって例示することができる。
【００８３】
市販されているようなエステルクワット柔軟仕上げ剤は、ジエステルに加えて様々な割合のモノエステルを含む物質を含む。
【００８４】
本明細書で好適な柔軟仕上げ剤としては、脱塩水中、２０℃において、１×１０−３重量％未満、より好ましくは１×１０−４重量％未満、さらにより好ましくは１×１０−６重量％〜１×１０−８重量％の溶解度を有する軟化化合物類が挙げられる。
【００８５】
（ｈ）洗浄性酵素−本明細書に用いるのに好適な洗浄性酵素としては、プロテアーゼ、アミラーゼ、リパーゼ、セルラーゼ、マンナナーゼおよびエンドグルカナーゼを含むカルボヒドラーゼ、およびこれらの混合物が挙げられる。酵素類は、その技術分野で教示される濃度、例えば、ノボ（Novo）およびジェネンコア（Genencor）のような供給元によって推奨される濃度で使用することができる。組成物中の通常の濃度は、約０．０００１％〜約５％である。酵素が存在する場合、本発明の特定の実施形態では、該酵素類を非常に低い濃度、例えば約０．００１％以下で使用することができ、または本発明による強力洗濯洗剤製剤では、該酵素類をより高濃度、例えば約０．１％以上で使用することができる。「非生物学的」洗剤類を好む消費者もいるため、本発明は酵素含有実施形態と、酵素を含有しない実施形態の両方を含む。
【００８６】
（ｉ）漂白剤系−本明細書に用いるのに好適な漂白剤系は、１以上の漂白剤を含有する。好適な漂白剤の非限定的な実施例は、触媒金属錯体、活性化過酸素源、漂白活性化剤、漂白増進剤、光漂白剤、漂白酵素、フリーラジカル反応開始剤、Ｈ２Ｏ２および次亜ハロゲン漂白剤から成る群から選択される。
【００８７】
好適な触媒金属錯体の例としては、米国特許第５，５７６，２８２号に開示されたもののようなマンガン系触媒、米国特許第５，５９７，９３６号に開示されたもののようなコバルト系触媒、並びに国際特許公開第００／３３２６０１号および米国特許第６，２２５，４６４号に開示されたもののようなマクロ多環式剛性配位子（macropolycyclic rigid ligand）（略してＭＲＬ）の遷移金属錯体が挙げられるが、これらに限定されない。ＭＲＬ中の好適な金属の非限定的な実施例は、様々な酸化状態にあるＭｎ、Ｆｅ、Ｃｏ、Ｎｉ、Ｃｕ、Ｃｒ、Ｖ、Ｍｏ、Ｗ、Ｐｄ、およびＲｕが挙げられる。好適なＭＲＬの非限定的な実施例は、ジクロロ−５，１２−ジエチル−１，５，８，１２−テトラアザビシクロ［６．６．２］ヘキサデカンマンガン（ＩＩ）、ジクロロ−５，１２−ジエチル−１，５，８，１２−テトラアザビシクロ［６．６．２］ヘキサデカンマンガン（ＩＩＩ）ヘキサフルオロホスフェート、およびジクロロ−５−ｎ−ブチル−１２−メチル−１，５，８，１２−テトラアザビシクロ［６．６．２］ヘキサデカンマンガン（ＩＩ）が挙げられる。
【００８８】
好適な活性化過酸素源としては、予め形成された過酸、漂白活性化剤と組み合わせた過酸化水素源、またはこれらの混合物が挙げられるが、これらに限定されない。好適な予め形成された過酸類としては、過カルボン酸類および塩類、過炭酸類および塩類、ペルイミド酸類および塩類、ペルオキソ一硫酸類および塩類、およびこれらの混合物から成る群から選択される化合物が挙げられるが、これらに限定されない。好適な過酸化水素源としては、過ホウ酸塩化合物類、過炭酸塩化合物類、過リン酸塩化合物類およびこれらの混合物から成る群から選択される化合物が挙げられるが、これらに限定されない。活性化過酸素源の好適な種類および濃度は、米国特許第５，５７６，２８２号、同第６，３０６，８１２号および同第６，３２６，３４８号に見出される。
【００８９】
好適な漂白活性化剤としては、テトラアセチルエチレンジアミン、オクタノイルカプロラクタム、ベンゾイルオキシベンゼンスルホネート、ノナノイルオキシベンゼンスルホネート、ベンゾイルバレロラクタム、ドデカノイルオキシベンゼンスルホネートのような、過加水分解性エステル類および過加水分解性イミド類が挙げられるが、これらに限定されない。
【００９０】
好適な漂白増進剤としては、米国特許第５，８１７，６１４号に記載のものが挙げられるが、これらに限定されない。
【００９１】
（ｊ）キレート剤−本明細書に用いるのに好適な水溶性キレート剤としては、ＥＤＤＳ、ＥＤＴＡ、およびＤＴＰＡのような、クエン酸類並びに窒素を含有する無リンアミノカルボキシレート類；ジエチレントリアミンペンタメチレンホスホン酸およびエチレンジアミンテトラメチレンホスホン酸のようなアミノホスホネート類；無窒素ホスホネート類、例えばＨＥＤＰ；並びに漂白触媒系での使用が知られているような特定の大環状Ｎ−配位子の化合物の一般的な部類のような、窒素または酸素を含有し、カルボキシレートを含まない、無リンキレート剤が挙げられる。キレート剤の濃度は、通常約５％未満、より一般的には、存在する場合、約０．０１％〜約３％である。
【００９２】
（ｋ）溶媒系−本組成物の溶媒系は、水のみ、または有機溶媒と水の混合物を含有してもよい。好ましい有機溶媒としては、１，２−プロパンジオール、エタノール、グリセロール、およびこれらの混合物が挙げられる。また、他の低級アルコール類、モノエタノールアミンおよびトリエタノールアミンのようなＣ１〜Ｃ４アルカノールアミン類も使用することができる。溶媒系は、例えば本発明の無水固体の実施形態で存在しなくてもよいが、より一般的には、溶媒系は、約０．１％〜約９８％、好ましくは少なくとも約１０％〜約９５％、より一般的には約２５％〜約７５％の濃度で存在する。
【００９３】
（ｌ）発泡系−本明細書で好適な発泡系としては、気体の小泡を放出する任意の他の物質の組み合わせ、またはそれから得られるものが挙げられる。発泡系の成分は、組み合わせて分散可能であって、それらが混合される時に発泡系を形成してもよく、または従来の被覆もしくは保護系が使用される場合には共に配合できる。発泡系の濃度は、非常に広範に変化させることができ、例えば、発泡性成分全体で、組成物の約０．１％〜約３０％の範囲にわたってもよい。過酸化水素およびカタラーゼは、非常に質量効率が良く、はるかに低い濃度でも優れた結果を得ることができる。
【００９４】
（ｍ）補助剤類の混合物−上記成分の混合物は、どのような割合でも製造できる。
【００９５】
（ｎ）他の補助剤−他の好適な洗浄補助物質の例としては、脂肪酸類、トリメトキシ安息香酸もしくはその塩類（ＴＭＢＡ）のようなアルコキシル化安息香酸類またはそれらの塩類；双極性および／または両性界面活性剤類；酵素安定化系；ゼオライト類およびポリアクリレート類、アクリレート／マレエートコポリマー類等のような水溶性有機ビルダー類のような無機ビルダー類を含む無機ビルダー類；ポリビニルアルコールフィルムまたは他の好適な変形、カルボキシメチルセルロース、セルロース誘導体類、デンプン、加工デンプン、糖類、ＰＥＧ、ろう類またはこれらの組み合わせを含むコーティングまたは封入剤；蛍光増白剤類または蛍光剤類；汚れ放出ポリマー類；分散剤類；泡抑制剤；染料類；着色剤類；硫酸ナトリウムのような増量剤塩類（filler salts）；トルエンスルホネート類、クメンスルホネート類、およびナフタレンスルホネート類のような向水性物質類；光活性化剤類；加水分解型界面活性剤類；防腐剤類；酸化防止剤類；抗収縮剤類；抗しわ剤類；殺菌剤類；殺真菌剤類；カラースペックル類（color speckles）；着色ビーズ、球体類または押出物類；日焼け止め剤類；フッ素化化合物類；粘土類；真珠光沢剤類；発光剤類または化学発光剤類；耐食剤類および／または機器保護剤類；アルカリ源類または他のｐＨ調整剤類；可溶化剤類；加工助剤類；顔料類；フリーラジカルスカベンジャー剤類、およびこれらの混合物が挙げられるが、これらに限定されない。好適な物質としては、米国特許第５，７０５，４６４号、同第５，７１０，１１５号、同第５，６９８，５０４号、同第５，６９５，６７９号、同第５，６８６，０１４号および同第５，６４６，１０１号に記載のものが挙げられる。
【００９６】
本発明の組成物への有機シリコーン類の組み込み
有機シリコーン類の、本発明の組成物への組み込みは、任意の好適な方法で行ってよく、一般には、任意の順番での混合または添加を含む。しかしながら、このような組み込みを達成するための、特定の好ましい方法が存在することが見出されてきた。
【００９７】
第一の方法は、最終組成物の２以上の他の成分が予混合された混合物に直接、製造者から搬入されたままの状態の有機シリコーン類を導入することを含む。これは、配合工程の最後を含む、最終組成物の調製工程中にいつでも行うことができる。即ち、有機シリコーン類は、予め製造された洗濯洗剤に添加して、本発明の最終組成物を形成することができる。
【００９８】
第二の方法は、有機シリコーンポリマーと、乳化剤および水を予混合し、有機シリコーンマイクロエマルションを調製し、次いで最終組成物の他の成分と混合することを含む。これらの化合物は、最終組成物の調製工程中に、どんな順番でも、いつでも、添加することができる。
【００９９】
第三の方法は、有機シリコーンポリマーと最終組成物の１以上の補助剤とを混合し、このプレミックスを残りの補助剤の混合物に添加することを含む。
【０１００】
これらの方法のうち、有機シリコーンポリマーまたはマイクロエマルションを最終組成物に導入する方法は、従来の高せん断混合手段の使用により好ましく補助される。これは、最終組成物全体にわたって、確実に、有機シリコーンポリマーを適切に分散させる。
【０１０１】
本発明による液体組成物、特に液体洗剤組成物は、好ましくは安定剤を含み、特に好ましいものはトリヒドロキシステアリンまたは硬化ヒマシ油、例えば、チクシン（Thixcin）（登録商標）として市販されている種類のものである。安定剤を本組成物に添加する場合、好ましくは組成物の１以上の補助剤または非シリコーン成分を有する別の安定剤プレミックスとして導入される。このような安定剤プレミックスを使用する場合、有機シリコーンポリマーが既に導入され、組成物中に分散した後に、組成物中に添加されるのが好ましい。
【実施例】
【０１０２】
以下の非限定的な実施例は、本発明を例示するものである。別段の定めがない限り、百分率は重量によるものである。
【表１】
2009511700.tif 000013
【表２】
2009511700.tif 000014
【０１０３】
使用説明書付き製品
本発明の組成物は、好ましくは製品中に含まれる。製品は、好ましくは本発明に従った布地手入れ組成物を含み、さらに、組成物が布地に対して１以上の望ましい布地手入れ効果を付与するように、処理を必要としている布地を有効量の組成物と接触させることにより布地を洗濯する製品の使用説明書を含む。
【０１０４】
それ故に、本発明はまた、その中に組成物を含有する包装または、組成物の販売もしくは使用に関する広告の他の形態に、本発明の布地手入れ組成物の使用説明書を添付することを包含する。説明書は消費者製品の製造または供給会社によって通常使用されるいずれかの手法において含まれてもよい。例としては、組成物を保持する容器に貼付されるラベル上の説明書、容器に貼付されるもしくは購入時に渡されるシート上の説明書、または広告、実演、および／もしくは、組成物の購入または使用につながる可能性のある、その他の文章または口頭による説明の提供が挙げられる。
【０１０５】
具体的には、説明書は組成物の使用に関する説明、例えば、浸漬または摩擦が適当である場合の、布地を清浄するために洗濯機に使用する組成物の推奨量、布地に適用するための組成物の推奨量を含むであろう。
【０１０６】
サービス業用途
任意の上記系、組成物、および方法は、本発明の精神および範囲から逸脱することなく、洗濯サービス業で、例えば、ドライクリーニング施設、公共施設の洗濯（学校、ホテル、または軍事分野の洗濯など）等で使用することができる。
【０１０７】
「発明を実施するための最良の形態」で引用したすべての文献は、関連部分において本明細書に参考として組み込まれるが、いずれの文献の引用も、それが本発明に対する先行技術であることを容認するものと解釈されるべきではない。この文書における用語のいずれかの意味または定義が、参考として組み込まれる文献における用語のいずれかの意味または定義と矛盾する範囲については、本文書においてその用語に与えられた意味または定義を適用するものとする。
【０１０８】
本発明の特定の実施形態が例示され記載されてきたが、本発明の精神および範囲から逸脱することなく他の様々な変更および修正を実施できることが、当業者には自明であろう。従って、本発明の範囲内にあるそのような全ての変更および修正を、添付の特許請求の範囲で扱うものとする。
【国際調査報告】
2009511700.tif 000024
2009511700.tif 000025
2009511700.tif 000026